(57)【要約】【課題】家庭等で手軽に製作することのできる印刷媒体について、耐久性や耐水性を優れたものとする。【解決手段】案内プレート１１は、発泡ポリスチレンによる基材１２と、透明かつ防水性を有する接着剤による接着剤層１３と、表層材１４とを順に積層するようにして構成されている。表層材１４は、接着剤層１３から順に、無色透明のインク受容層１５と無色透明のアクリル板による保護層１６とを積層するようにして構成されている。インク受容層１５には画像Ｐが反転した状態で印刷されている。従って、画像Ｐは保護層１６を介して外部から正画像として視認可能となっている。また、画像Ｐは、案内プレート１１の内部に密封された状態となっているため、画像Ｐは、空気や水分の浸入から保護され、案内プレート１１を長時間掲示してもインクの劣化・褪色が生じない。【選択図】　　　図２
2004045521.tif 000002
【特許請求の範囲】
【請求項１】
基材と、
同基材に重ね合わされている表層材と、
前記基材と前記表層材との間に介在して前記基材と前記表層材とを固定する接着手段と
を備え、
前記表層材は、反転画像が印刷されているインク受容層と保護層とを前記接着手段側から順に積層するように備え、
前記保護層は、前記反転画像が前記保護層を透過して正画像として視認可能となる材料にて形成されていることを特徴とする印刷媒体。
【請求項２】
請求項１に記載の印刷媒体において、前記表層材は、フィルム状であることを特徴とする印刷媒体。
【請求項３】
請求項１又は２に記載の印刷媒体において、
前記表層材の保護層は、水分透過性の低い材料により形成されていることを特徴とする印刷媒体。
【請求項４】
請求項１〜３のいずれか１つに記載の印刷媒体において、
前記表層材の保護層は、前記インク受容層と接する面と反対側の面が高い平滑性を有していることを特徴とする印刷媒体。
【請求項５】
請求項１〜４のいずれか１つに記載の印刷媒体において、
前記基材は、水分透過性の低い材料により形成されていることを特徴とする印刷媒体。
【請求項６】
請求項５に記載の印刷媒体において、
前記基材は、発泡性樹脂材料により形成されていることを特徴とする印刷媒体。
【請求項７】
請求項５に記載の印刷媒体において、
前記基材は少なくとも、金属性材料、あるいは金属光沢を有する材料により形成されていることを特徴とする印刷媒体。
【請求項８】
請求項１〜７のいずれか１つに記載の印刷媒体において、
前記接着手段は、前記表層材側から前記接着手段を介して前記基材が視認可能となる材料であることを特徴とする印刷媒体。
【請求項９】
請求項１〜８のいずれか１つに記載の印刷媒体において、
前記接着手段は、着色されていることを特徴とする印刷媒体。
【請求項１０】
請求項１〜９のいずれか１つに記載の印刷媒体において、
前記表層材の保護層は、少なくとも、ハーフミラー、あるいはホログラムによる金属光沢を有していることを特徴とする印刷媒体。
【請求項１１】
請求項１〜１０のいずれか１つに記載の印刷媒体において、
前記基材は、前記表層材と接しない部分に粘着剤を備えていることを特徴とする印刷媒体。
【請求項１２】
請求項１〜１１のいずれか１つに記載の印刷媒体において、前記基材は、磁石を備えていることを特徴とする印刷媒体。
【請求項１３】
基材と同基材の表面に付着している接着手段と同接着手段を覆う被覆材とを備えた第１の製作用部材と、
インク受容層と透明な材料にて形成されている保護層とを積層するように備えた第２の製作用部材と
を備え、
前記第２の製作用部材の前記インク受容層に反転画像を印刷した後に、前記第１の製作用部材の前記接着手段から前記被覆材を剥がし、前記接着手段と前記インク受容層とが貼り合わさるように前記第１の製作用部材と前記第２の製作用部材とを重ね合わせて印刷媒体を製作することを特徴とする印刷媒体製作キット。
【請求項１４】
請求項１３に記載の印刷媒体製作キットにおいて、
前記第２の製作用部材は、フィルム状であることを特徴とする印刷媒体製作キット。
【請求項１５】
請求項１３又は１４に記載の印刷媒体製作キットにおいて、
前記基材は、発泡性樹脂材料にて形成されていることを特徴とする印刷媒体製作キット。
【請求項１６】
請求項１３〜１５のいずれか１つに記載の印刷媒体製作キットにおいて、前記被覆材は切れ目が設けられていることを特徴とする印刷媒体製作キット。
【請求項１７】
請求項１３〜１６のいずれか１つに記載の印刷媒体製作キットにおいて、少なくとも、前記第１の製作用部材、あるいは第２の製作用部材は、切れ目が設けられていることを特徴とする印刷媒体製作キット。
【発明の詳細な説明】
【０００１】
【発明の属する技術分野】
本発明は、印刷媒体製作キット及び同キットにより製作される印刷媒体に関するものである。
【０００２】
【従来の技術】
従来、画像を印刷したシート状もしくはボード状の印刷媒体が幅広い分野において使用されており、例えば、会社や店舗の広告看板等の宣伝表示類や、レストランのメニューパネルや公共施設の案内表示といった標識類に使用されている。そして、これらの宣伝表示類や標識類は、長期間掲示していてもインクの劣化・褪色が生じないような耐久性や、雨等による吸水を防ぐための耐水性が求められており、その対策として、印刷した紙をラミネート樹脂で熱圧封したり、アクリル板にシルク印刷を行ったりすることが行われていた。
【０００３】
【発明が解決しようとする課題】
ところで、印刷媒体をラミネート樹脂で熱圧封する場合には、ラミネート樹脂を購入したり、高価なラミネータ機を用意したりしなければならず、コスト高であった。また、サイズの制約があり、手軽に家庭等で利用できないという問題があった。さらに、ラミネート樹脂の素材の制約により、印刷媒体の透明性や光沢などが劣ることがあり、見栄えが悪くなることがあった。
【０００４】
そして、樹脂面を有する印刷媒体を、樹脂面の平滑性を利用して、ホワイトボードのように使用することがあったが、ラミネート樹脂は、表面の平滑性に劣ることがあり、ホワイトボードとして使用に適さないことがあった。また、アクリル板にシルク印刷を行う場合には、シルク版が必要であり、一般の家庭等で手軽に印刷することができないという問題があった。
【０００５】
本発明は、前述した事情に鑑みてなされたものであって、その目的は、耐久性や耐水性に優れているとともに、家庭等で手軽に製作することのできる印刷媒体及び印刷媒体製作キットを提供することにある。
【０００６】
【課題を解決するための手段】
上記問題点を解決するために、請求項１に記載の発明は、基材と、同基材に重ね合わされている表層材と、前記基材と前記表層材との間に介在して前記基材と前記表層材とを固定する接着手段とを備え、前記表層材は、反転画像が印刷されているインク受容層と保護層とを前記接着手段側から順に積層するように備え、前記保護層は、前記反転画像が前記保護層を透過して正画像として視認可能となる材料にて形成されていることを要旨とする。
【０００７】
請求項２に記載の発明は、請求項１に記載の印刷媒体において、前記表層材は、フィルム状であることを要旨とする。
請求項３に記載の発明は、請求項１又は２に記載の印刷媒体において、前記表層材の保護層は、水分透過性の低い材料により形成されていることを要旨とする。
【０００８】
請求項４に記載の発明は、請求項１〜３のいずれか１つに記載の印刷媒体において、前記表層材の保護層は、前記インク受容層と接する面と反対側の面が高い平滑性を有していることを要旨とする。
【０００９】
請求項５に記載の発明は、請求項１〜４のいずれか１つに記載の印刷媒体において、前記基材は、水分透過性の低い材料により形成されていることを要旨とする。
【００１０】
請求項６に記載の発明は、請求項５に記載の印刷媒体において、前記基材は、発泡性樹脂材料により形成されていることを要旨とする。
請求項７に記載の発明は、請求項５に記載の印刷媒体において、前記基材は少なくとも、金属性材料、あるいは金属光沢を有する材料により形成されていることを要旨とする。
【００１１】
請求項８に記載の発明は、請求項１〜７のいずれか１つに記載の印刷媒体において、前記接着手段は、前記表層材側から前記接着手段を介して前記基材が視認可能となる材料であることを要旨とする。
【００１２】
請求項９に記載の発明は、請求項１〜８のいずれか１つに記載の印刷媒体において、前記接着手段は、着色されていることを要旨とする。
請求項１０に記載の発明は、請求項１〜９のいずれか１つに記載の印刷媒体において、前記表層材の保護層は、少なくとも、ハーフミラー、あるいはホログラムによる金属光沢を有していることを要旨とする。
【００１３】
請求項１１に記載の発明は、請求項１〜１０のいずれか１つに記載の印刷媒体において、前記基材は、前記表層材と接しない部分に粘着剤を備えていることを要旨とする。
【００１４】
請求項１２に記載の発明は、請求項１〜１１のいずれか１つに記載の印刷媒体において、前記基材は、磁石を備えていることを要旨とする。
請求項１３に記載の発明は、基材と同基材の表面に付着している接着手段と同接着手段を覆う被覆材とを備えた第１の製作用部材と、インク受容層と透明な材料にて形成されている保護層とを積層するように備えた第２の製作用部材とを備え、前記第２の製作用部材の前記インク受容層に反転画像を印刷した後に、前記第１の製作用部材の前記接着手段から前記被覆材を剥がし、前記接着手段と前記インク受容層とが貼り合わさるように前記第１の製作用部材と前記第２の製作用部材とを重ね合わせて印刷媒体を製作することを要旨とする。
【００１５】
請求項１４に記載の発明は、請求項１３に記載の印刷媒体製作キットにおいて、前記第２の製作用部材は、フィルム状であることを要旨とする。
請求項１５に記載の発明は、請求項１３又は１４に記載の印刷媒体製作キットにおいて、前記基材は、発泡性樹脂材料にて形成されていることを要旨とする。
【００１６】
請求項１６に記載の発明は、請求項１３〜１５のいずれか１つに記載の印刷媒体製作キットにおいて、前記被覆材は切れ目が設けられていることを要旨とする。
【００１７】
請求項１７に記載の発明は、請求項１３〜１６のいずれか１つに記載の印刷媒体製作キットにおいて、少なくとも、前記第１の製作用部材、あるいは第２の製作用部材は、切れ目が設けられていることを要旨とする。
【００１８】
（作用）
請求項１に記載の発明によれば、基材と表層材とを接着手段によって固定することにより印刷媒体を形成するようにした。そして、表層材は接着手段側から、インク受容層と保護層とを積層するように備え、保護層は、インク受容層に印刷されている反転画像が保護層を透過して正画像として視認可能となる材料にて形成されるようにした。
【００１９】
従って、表層材のインク受容層は接着手段に接しており、印刷媒体の内部に位置した状態となる。その結果、インク受容層に印刷されている反転画像は、保護層、接着手段、基材によって保護されるようになり、水分や塵埃、空気等を遮断することができるようになる。そして、画像を水や汚れから守り、劣化を防ぐことができる。また、インク受容層に印刷されている反転画像は、保護層を透過して正画像として視認可能となるため、印刷媒体の画像の視認性を損なうことがない。
【００２０】
請求項２に記載の発明によれば、表層材をフィルム状に形成するようにした。従って、表層材のインク受容層に、インクジェット式記録装置等の家庭で広く普及している記録装置を使用して、手軽に反転画像を印刷することができ、製作の手間が軽減する。
【００２１】
請求項３に記載の発明によれば、表層材の保護層を、水分透過性の低い材料により形成するようにした。従って、表層材の保護層を介してインク受容層に到達しようとする水分を抑制することができ、印刷媒体の耐水性を高めることができる。
【００２２】
請求項４に記載の発明によれば、表層材の保護層は、インク受容層と反対側の面が高い平滑性を有するようにした。
従って、印刷媒体の前記画像が透過して見える面が、平滑面となり、その平滑面に水性ペン等で文字等を書き加えたり、ふき取ったりすることができ、ホワイトボードのように使用することが可能となる。
【００２３】
請求項５に記載の発明によれば、基材を、水分透過性の低い材料により形成するようにした。従って、基材を介してインク受容層に到達しようとする水分を抑制することができ、印刷媒体の耐水性を高めることができる。そして、画像を水や汚れから守ることができる。
【００２４】
請求項６及び請求項１５に記載の発明によれば、基材を発泡性樹脂材料により形成するようにした。従って、安価な材料で、基材の水分透過率を低くすることができ、印刷媒体の耐水性を高めることができる。また、容易に切断できるため、印刷媒体を画像に沿って切り取るなどして、より視認性に優れた印刷媒体に変更することができる。
【００２５】
請求項７に記載の発明によれば、基材を、少なくとも、金属製材料、あるいは金属光沢を有する材料により形成するようにした。従って、基材の水分透過率を低くして、印刷媒体の耐水性を高めることができる。また、強度を高めることができるとともに、金属光沢を有する視認性に優れた印刷媒体を提供することができるようになる。
【００２６】
請求項８に記載の発明によれば、接着手段を、表層材側から接着手段を介して基材が視認可能となる材料となるようにした。従って、印刷媒体において、インク受容層に印刷されている画像に加えて、基材の表面の様子が保護層を介して視認できるようになり、視認性に優れた印刷媒体を提供することができる。
【００２７】
請求項９に記載の発明によれば、接着手段を着色するようにした。従って、印刷媒体において、インク受容層に印刷されている画像に加えて、接着手段の色が保護層を介して視認できるようになり、視認性に優れた印刷媒体を提供することができる。
【００２８】
請求項１０に記載の発明によれば、表層材の保護層が、少なくとも、ハーフミラー、あるいはホログラムによる金属光沢を有するようにした。従って、印刷媒体が特殊な視覚効果を有するようになり、視認性に優れた印刷媒体を提供することができる。
【００２９】
請求項１１に記載の発明によれば、基材の表層材と接しない部分に粘着剤を設けるようにした。従って、粘着剤を介して、印刷媒体を壁面等に容易に固着させることができ、掲示の際の手間を軽減させることができる。
【００３０】
請求項１２に記載の発明によれば、基材は磁石を備えるようにした。従って、印刷媒体をステンレス等の磁性体による壁面等に容易に固着させることができ、掲示の際の手間を軽減させることができる。
【００３１】
請求項１３に記載の発明によれば、印刷媒体製作キットに、第１の製作用部材と第２の製作用部材とを備えるようにした。そして、第２の製作用部材のインク受容層に反転画像を印刷した後に、第１の製作用部材の被覆材を剥がし、第１の製作用部材の接着手段と第２の製作用部材のインク受容層とを貼り合わせて印刷媒体を製作するようにした。
【００３２】
従って、この印刷媒体製作キットによれば、インク受容層が基材と保護層とに挟まれた状態となり、インク受容層に印刷されている反転画像が、透明な保護層から正画像として視認可能となる。その結果、インク受容層に印刷されている反転画像は、基材と保護層とによって保護された状態となり、水分や塵埃、空気等を遮断することができるようになる。そして、画像を水や汚れから守り、劣化を防ぐことができる。
【００３３】
請求項１４に記載の発明によれば、第２の製作用部材をフィルム状に形成するようにした。従って、第２の製作用部材のインク受容層に、インクジェット式記録装置等の家庭で広く普及している記録装置を使用して、手軽に反転画像を記録することができ、製作の手間が軽減する。
【００３４】
請求項１６に記載の発明によれば、被覆材に切れ目を設けるようにした。従って、第１の製作用部材の接着手段から被覆材を剥がすときに、切れ目に沿って被覆材を切りながら剥がすことで、接着手段の被覆材に覆われている部分を部分的残すことができる。その結果、接着手段の被覆材が剥がれた部分のみを第２の製作用部材のインク受容層に貼り付けることができる。そして、その後に全ての被覆材を剥がしてインク受容層に貼り付けるようにすることにより、貼り付け作業を安定して行うことができ、接着面に空気等が入ることを防ぐことができる。その結果、品質の高い印刷媒体を製作することができる。
【００３５】
請求項１７に記載の発明によれば、少なくとも、第１の製作用部材、あるいは第２の製作用部材に切れ目を設けるようにした。
従って、第１の製作用部材、あるいは、第２の製作用部材を、容易に切断できるため、完成した印刷媒体を画像に沿って切り取ることが可能となり、より視認性に優れた印刷媒体を作成することができる。
【００３６】
【発明の実施の形態】
以下、本発明を具体化した一実施形態を図１〜図４に従って説明する。図１は、本実施形態において製作される印刷媒体としての案内プレート１１の正面図を、図２は案内プレート１１の部分断面図を示したものである。
【００３７】
図１に示すように、本実施形態の案内プレート１１は、Ａ３サイズの長方形の板状に形成されており、図２に示すように、下側から順に、基材１２、接着手段としての接着剤層１３、表層材１４が積層されている。
【００３８】
基材１２は、本実施形態では、防水性を有する材料、例えば、発泡性樹脂材料としての発泡ポリスチレンにより形成されている。また、接着剤層１３は、透明かつ防水性を有する接着剤により形成されている。そして、表層材１４は、接着剤層１３側から順に、インク受容層１５と保護層１６とが積層されて構成されている。
【００３９】
インク受容層１５は、例えば、インクジェット式記録装置といった記録装置のインクが良好に吸収される無色透明の材料により形成されており、画像Ｐが反転された状態で印刷されている。また、保護層１６は、本実施形態では、防水性を有する無色透明のアクリル板によって形成されている。
【００４０】
従って、インク受容層１５に印刷されている画像Ｐは、案内プレート１１の内部に密封されているとともに、図１に示すように、保護層１６を介して外部から正画像として視認可能となっている。さらに、前記接着剤層１３は透明の接着剤により形成されているため、前記基材１２の上面１２ａ（図２参照）も保護層１６を介して視認可能となっている。
【００４１】
また、図２に示すように、保護層１６の上面１６ａは、高い平滑性を有しており、図示しない水性ペン等によって文字Ｍを書き加えたり、ふき取ったりすることが自由にできるようになっている。
【００４２】
次に、上記のように構成された案内プレート１１を製作するための案内プレート製作キットについて説明する。
本実施形態の印刷媒体製作キットとしての案内プレート製作キット１７は、図３に示すように、第１の製作用部材１８と第２の製作用部材１９とを備え、ともにＡ３サイズの長方形形状となっている。第１の製作用部材１８は、図４に示すように、下側から順に、前記基材１２と接着剤層１３とを積層するように備える。そして、接着剤層１３は被覆材としての剥離紙２１によって覆われている。また、第２の製作用部材１９は、前記インク受容層１５と前記保護層１６によって構成されており、無色透明のフィルム状となっている。
【００４３】
次に、以上のように構成された案内プレート製作キット１７を用いた前記案内プレート１１の製作方法について説明する。
まず、図示しないインクジェット式記録装置等の印刷装置を使用して、第２の製作用部材１９のインク受容層１５に前記画像Ｐを印刷する。なお、このとき、印刷する画像Ｐは、反転画像として印刷する。従って、図１に示すように画像Ｐを右矢印として表示させるためには、左矢印の画像Ｐをインク受容層１５に印刷する。
【００４４】
そして、第１の製作用部材１８の接着剤層１３から剥離紙２１を剥がし、第１の製作用部材１８に第２の製作用部材１９を重ね合わせ、接着剤層１３に第２の製作用部材１９のインク受容層１５を貼り付ける。このとき、縁が一致するようにして貼り付ける。その結果、第１の製作用部材１８と第２の製作用部材１９とが重ね合わされた状態で固定される。その後、必要に応じて、重ね合わされた第１の製作用部材１８と第２の製作用部材１９の縁を切断し、形状を整える。その結果、図１に示すように、案内プレート１１が完成し、反転画像として印刷した画像Ｐが、保護層１６を透過して正画像として視認可能となる。
【００４５】
なお、この案内プレート１１（保護層１６）の表面は高い平滑性を有しているため、水性ペン等によって文字Ｍを書き加えたり、ふき取ったりすることが自由にできるようになっている。また、基材１２、接着剤層１３及び保護層１６は防水性を有する材料により形成されており、インク受容層１５に印刷されている画像Ｐは、これら基材１２、接着剤層１３及び保護層１６によって案内プレート１１の内部に封止されている。このため、画像Ｐは、空気や水分の浸入から保護され、案内プレート１１を長時間掲示してもインクの劣化・褪色が生じないような耐久性や、耐水性を有するようになる。
【００４６】
上記実施形態によれば、以下のような特徴を得ることができる。
（１）上記実施形態では、基材１２と表層材１４とを接着剤層１３によって固定することにより案内プレート１１を形成するようにした。そして、表層材１４は接着剤層１３側から、インク受容層１５と保護層１６とを積層するように備えるようにした。
【００４７】
従って、インク受容層１５は接着剤層１３に接しており、案内プレート１１の内部に位置した状態となる。その結果、インク受容層１５に印刷されている画像Ｐは、保護層１６、接着剤層１３、基材１２によって保護されるようになり、水分や塵埃、空気等を遮断することができるようになる。そして、画像Ｐを水や汚れから守り、劣化を防ぐことができる。
【００４８】
（２）上記実施形態では、インク受容層１５に印刷されている反転画像は、無色透明のアクリル板によって形成された保護層１６を透過して正画像として視認可能となるため、案内プレート１１の画像Ｐの視認性を損なうことがない。
【００４９】
（３）上記実施形態では、表層材１４をフィルム状に形成するようにした。従って、表層材１４のインク受容層１５に、インクジェット式記録装置等の家庭で広く普及している記録装置を使用して、手軽に反転画像を印刷することができ、製作の手間が軽減する。
【００５０】
（４）上記実施形態では、保護層１６をアクリル板によって形成するようにしたので、保護層１６を介してインク受容層１５に浸入しようとする水分を抑制することができ、案内プレート１１の耐水性を高めることができる。
【００５１】
（５）上記実施形態では、保護層１６のインク受容層１５と反対側の面は、高い平滑性を有するようにした。従って、案内プレート１１の画像Ｐが透過して見える面が、平滑面となり、その平滑面に水性ペン等で文字等を書き加えたり、ふき取ったりすることができ、ホワイトボードのように使用することが可能となる。
【００５２】
（６）上記実施形態では、基材１２を発泡ポリスチレンにて形成するようにした。従って、安価な材料で、基材１２を介してインク受容層１５の到達しようとする水分を抑制することができ、案内プレート１１の耐水性を高めることができる。そして、画像Ｐを水や汚れから守ることができる。また、容易に切断できるため、案内プレート１１を画像Ｐに沿って切り取るなどして、より視認性に優れた案内プレート１１に変更することができる。
【００５３】
（７）接着剤層１３を、透明な接着剤により形成されるようにした。従って、案内プレート１１において、インク受容層１５に印刷されている画像Ｐに加えて、基材１２の上面１２ａの様子が保護層１６を介して視認できるようになり、視認性に優れた印刷媒体を提供することができる。
【００５４】
なお、上記実施形態は以下のように変更してもよい。
・上記実施形態では、表層材１４の保護層１６の上面１６ａは高い平滑性を有するようにしたが、有しないようにしてもよい。
【００５５】
・上記実施形態では、基材１２を水分透過率の低い発泡性樹脂材料としての発泡性ポリスチレンにより形成するようにしたが、その他の水分透過率の低い発泡性樹脂材料で形成するようにしてもよい。また、水分透過率の低い材料であれば、発泡性でなくてももちろんよい。
【００５６】
その他の材料としては、例えば、ポリスチレン以外のプラスチックであるポリプロピレン、ポリエチレン、ポリエチレンテレフタレート、ポリカーボネート等により構成されたものでもよい。また、アクリル板でもよい。さらにまた、金属性材料または、金属光沢を有する材料により形成されるようにしてもよい。また、基材１２はボード状でもシート状でもどちらでもよい。
【００５７】
・上記実施形態では、接着剤層１３の接着剤を無色透明のものとするようにしたが、着色するようにしてもよい。このようにすれば、インク受容層１５に印刷されている画像Ｐに加えて、接着剤層１３の色が保護層１６を介して視認できるようになり、視認性に優れた案内プレート１１を提供することができる。
【００５８】
・上記実施形態では、表層材１４の保護層１６をアクリル板とするようにした。これを、インク受容層１５の印刷されている反転画像を正画像として視認可能とすることができるのであれば、その他の材料で形成するようにしてもよい。例えば、ＰＥＴ（ｐｏｌｙｅｔｈｙｌｅｎｅ　ｔｅｒｅｐｈｔｈａｌａｔｅ）により形成するようにしてもよい。
【００５９】
また、少なくとも、ハーフミラー、あるいはホログラムによる金属光沢を有するようにしてもよい。これによれば、案内プレート１１が特殊な視覚効果を有するようになり、視認性に優れた案内プレート１１を提供することができる。
【００６０】
・上記実施形態では、第１の製作用部材１８は、基材１２の上面１２ａ（図２参照）にのみ接着剤層１３を備えるようにしたが、下面にも粘着剤としての接着剤層を設けるようにしてもよい。そして、この接着剤層を剥離紙によって覆うようにしてもよい。このようにすれば、案内プレート１１をステッカーのように、壁面等に容易に固着させることができるものとすることができ、掲示の際の手間を軽減させることができる。また、基材１２の下面にマグネット板のような磁石を設けるようにしてもよい。このようにすれば、案内プレート１１をステンレス等の磁性体による壁面等に容易に固着させることができ、掲示の際の手間を軽減させることができる。
【００６１】
・上記実施形態では、第２の製作用部材１９をフィルム状に形成するようにしたが、可撓性を有しない板状のものとして形成するようにしてもよい。
・上記実施形態では、第１の製作用部材１８の接着剤層１３を覆うように、剥離紙２１を設けるようにした。これを、図５に示すように、剥離紙２１に切れ目としてのミシン目２２を設けるようにしてもよい。このようにすれば、第１の製作用部材１８の接着剤層１３から剥離紙２１を剥がすときに、ミシン目２２に沿って剥離紙２１を切りながら剥がすことができる。そして、接着剤層１３の剥離紙２１に覆われている部分を部分的に残すことができる。
【００６２】
その結果、接着剤層１３の剥離紙２１が剥がれた部分のみを第２の製作用部材１９のインク受容層１５に貼り付けることができる。そして、その後に全ての剥離紙２１を剥がしてインク受容層１５に貼り付けるようにすることにより、貼り付け作業を安定して行うことができ、接着面に空気等が入ることを防ぐことができる。その結果、品質の高い案内プレート１１を製作することができる。
【００６３】
・上記実施形態では、第１の製作用部材１８と第２の製作用部材１９とはともにＡ３サイズの長方形形状となるようにした。これを、その他のサイズ、形状のものとするようにしてもよい。また、第１の製作用部材１８と第２の製作用部材１９の大きさを異なるようにしてもよい。
【００６４】
また、少なくとも、第１の製作用部材１８あるいは、第２の製作用部材１９に切れ目を設けるようにしてもよい。このようにすれば、第１の製作用部材１８、あるいは、第２の製作用部材１９を、手などで容易に切断できるため、完成した印刷媒体を画像Ｐに沿って切り取ることなどが可能となり、より視認性に優れた案内プレート１１を作成することができる。
【００６５】
・上記実施形態では、案内プレート製作キット１７は、第１の製作用部材１８と第２の製作用部材１９とを備えるようにした。これに加えて、インク受容層１５に印刷する画像Ｐのデータを記憶した記憶媒体を備えるようにしてもよい。そして、この記憶媒体は、ＣＤ−ＲＯＭ等、どのような形式の媒体でもよく、パソコン等を介して前記画像Ｐのデータが読みとられて、印刷装置によって前記インク受容層１５に画像Ｐを印刷することを可能とするものであれば何でもよい。
【００６６】
また、このような記憶媒体に、画像Ｐのデータに加えて、前記インク受容層１５に案内プレート１１の完成時の外形を印刷するためのデータを記憶するようにしてもよい。このようにすれば、インク受容層１５に印刷された案内プレート１１の完成時の外形に沿って、第１の製作用部材１８及び第２の製作用部材１９をカットでき、案内プレート１１の外形を正確にカットすることができる。
【００６７】
【発明の効果】
以上、詳述したように、請求項１〜１７に記載の発明によれば、印刷媒体を耐久性や耐水性に優れたものとし、家庭等で手軽に製作することができる。
【００６８】
加えて、請求項４に記載の発明によれば、印刷媒体をホワイトボードのように使用することが可能となる。
加えて、請求項６〜１０，１５及び１７に記載の発明によれば、印刷媒体を視認性に優れたものとすることができる。
【００６９】
加えて、請求項１１及び１２に記載の発明によれば、印刷媒体を掲示する際の手間を軽減させることができる。
【図面の簡単な説明】
【図１】本実施形態における案内プレートの正面図。
【図２】同じく、案内プレートの断面図。
【図３】同じく、案内プレート製作キットの斜視図。
【図４】同じく、案内プレート製作キットの断面図。
【図５】別例における、第１の製作用部材の斜視図。
【符号の説明】
Ｐ　画像
１１　印刷媒体としての案内プレート
１２　基材
１３　接着手段としての接着剤層
１４　表層材
１５　インク受容層
１６　保護層
１７　印刷媒体製作キットとしての案内プレート製作キット
１８　第１の製作用部材
１９　第２の製作用部材
２１　被覆材としての剥離紙
２２　切れ目としてのミシン目
【図１】
2004045521.tif 000003
【図２】
2004045521.tif 000004
【図３】
2004045521.tif 000005
【図４】
2004045521.tif 000006
【図５】
2004045521.tif 000007